(57)【特許請求の範囲】
【請求項１】
車両に設けられたステーと電気接続箱に形成された差し込み受け部との間で差し込みを行い、前記ステーの差し込み片の係止部に前記差し込み受け部の弾性係止片を押しつけて係止する電気接続箱の取り付け構造であって、
前記差し込み受け部の内面における前記弾性係止片による押しつけ方向と反対側の部位に、差し込まれる前記差し込み片に接して、又は前記差し込み片によって変形されて差し込みを許容する規制突部を備えた
電気接続箱の取り付け構造。
【請求項２】
前記規制突部として前記差し込み受け部における前記押しつけ方向と反対側の面に形成された突条を備えた
請求項１に形成された電気接続箱の取り付け構造。
【請求項３】
前記規制突部として前記差し込み受け部における前記押しつけ方向と反対側の両側の隅部に形成された隅突部を備えた
請求項１または請求項２に記載の電気接続箱の取り付け構造。
【請求項４】
前記弾性係止片の係止爪における前記差し込み片の差し込み方向の前方と後方に、前記係止部の縁に斜めに当接する傾斜面を備えた
請求項１から請求項３のうちいずれか一項に記載の電気接続箱の取り付け構造。
【請求項５】
前記ステーにおける前記差し込み片よりも差し込み方向後方の両側縁に形成されて前記弾性係止片による押しつけ方向と同じ方向に起立する姿勢の補強片と、
前記差し込み受け部に形成されて前記補強片を有する部分が嵌合する嵌合部を備え、
前記規制突部が前記嵌合部に達する長さに形成された
請求項１から請求項４のうちいずれか一項に記載の電気接続箱の取り付け構造。
【請求項６】
車両に設けられたステーの差し込み片が差し込まれる差し込み受け部を備え、該差し込み受け部には、前記差し込み片の係止部に対して押しつけて係止する弾性係止片を備えた電気接続箱であって、
前記差し込み受け部の内面における前記弾性係止片による押しつけ方向と反対側の部位に、差し込まれる前記差し込み片に接して、又は前記差し込み片によって変形されて差し込みを許容する規制突部を備えた
電気接続箱。
【請求項７】
前記規制突部として前記差し込み受け部における前記押しつけ方向と反対側の面に形成された突条を備えた
請求項６に形成された電気接続箱。
【請求項８】
前記規制突部として前記差し込み受け部における前記押しつけ方向と反対側の隅部に形成された隅突部を備えた
請求項６または請求項７に記載の電気接続箱。
【請求項９】
前記弾性係止片の係止爪における前記差し込み片の差し込み方向の前方と後方に、前記係止部の縁に斜めに当接する傾斜面を備えた
請求項６から請求項８のうちいずれか一項に記載の電気接続箱。
【発明の詳細な説明】
【技術分野】
【０００１】
この発明は、例えば自動車などの車両に搭載される電気接続箱の取り付け構造に関し、より詳しくはガタつきのない取り付け状態が得られるような取り付け構造に関する。
【背景技術】
【０００２】
電気接続箱を車両に取り付けるために、車両に設けられる金属製のステーと、電気接続箱に形成されてステーの差し込み片が差し込まれるブラケットが利用されている。
【０００３】
下記特許文献１に開示されているように、ステーの差し込み片は平板状であり、差し込み片の中央には貫通穴状の四角い係止部が形成されている。他方、ブラケットは合成樹脂製で、差し込み片の左右両側縁を受け入れて保持するとともに、差し込み片の係止部に係止する弾性変位可能で先端面が係止部に係止する係止爪を有している。
【０００４】
このようなステーと差し込み受け部からなる取り付け構造では、電気接続箱をステーに対して移動して、ステーの差し込み片に差し込み受け部を相対的に差し込むと、差し込み片の差し込み状態を差し込み受け部と係止爪が保持する。
【０００５】
しかし、係止爪は差し込み片の差し込みに合わせて材料弾性で撓んで、係止部を通過させたのち弾性復帰して係止させるものであるため、係止爪の先端面と、これに対向する係止部との間には一定のクリアランスを設けておく必要がある。このため、差し込み片の差し込み方向でのガタつきが生じる難点がある。ガタつきは異音の発生の元となる。
【０００６】
ステーと差し込み受け部との間のガタつきをなくそうとする発明として下記特許文献２に開示されたものがある。この取り付け構造は、係止爪の背部に蓋体に形成された差し込み片を差し込んで、係止爪が係止解除方向に撓まないようにするものである。
【０００７】
特許文献２の発明では、係止爪が撓む方向のガタつきは抑制できるが、差し込み片の差し込み方向でのガタつきを阻止することはできない。
【０００８】
また、差し込み片と差し込み受け部との間のガタつきは、係止爪部分のクリアランスや撓みだけが原因ではない。製品の寸法公差もガタつきの原因になりうる。
【先行技術文献】
【特許文献】
【０００９】
【特許文献１】特開２０００−１８４５５５号公報
【特許文献２】特開２００３−２３７１６号公報
【発明の概要】
【発明が解決しようとする課題】
【００１０】
そこでこの発明は、係止爪部分の構造に基づくガタつきのほか、寸法公差に基づくガタつきもなくせるようにすることを主な目的とする。
【課題を解決するための手段】
【００１１】
そのための手段は、車両に設けられたステーと電気接続箱に形成された差し込み受け部との間で差し込みを行い、前記ステーの差し込み片の係止部に前記差し込み受け部の弾性係止片を押しつけて係止する電気接続箱の取り付け構造であって、前記差し込み受け部の内面における前記弾性係止片による押しつけ方向と反対側の部位に、差し込まれる前記差し込み片に接して、又は前記差し込み片によって変形されて差し込みを許容する規制突部を備えた電気接続箱の取り付け構造である。
【００１２】
この発明では、規制突部が差し込み片を弾性係止片による押しつけ方向と同じ方向に押しつけて位置規制を行う。押しつけに際して、規制突部は差し込み片に対して接し、又は差し込み片によって変形させられる。規制突部の変形により寸法公差を吸収する。このような位置規制によって差し込み受け部と差し込み片との間の相対移動を阻止して、ガタつきの発生をなくす。
【００１３】
この発明の態様として次のようにすることができる。すなわち、前記規制突部として前記差し込み受け部における前記押しつけ方向と反対側の面に形成された突条を備える。
【００１４】
この発明の突条は、差し込み片を対向側、つまり差し込み受け部における弾性係止片による押しつけ方向の面に押しつけて、弾性係止片と係止部の係合との協働で差し込み受け部と差し込み片との間の相対移動を阻止する。突条は特に差し込み片の厚み方向でのガタつきを積極的に阻止する。
【００１５】
この発明の態様として次のようにすることができる。すなわち、前記規制突部として前記差し込み受け部における前記押しつけ方向と反対側の両側の隅部に形成された隅突部を備える。
【００１６】
この発明の隅突部は、差し込み片の左右両側の角部に接触し、又はその角部によって変形させられて差し込み片を差し込み受け部における弾性係止片による押しつけ方向の面に押しつけて、弾性係止片と係止部の係合との協働で差し込み受け部と差し込み片との間の相対移動を阻止する。隅突部は特に差し込み片の左右方向でのガタつきを積極的に阻止する。
【００１７】
前記規制突部としては、前記突条と前記隅突部を兼ね備えるのが好ましい。寸法公差との関係で少なくともいずれか一方の規制突部が作用を果たすように設定することによって、対応可能な寸法公差の幅を広くすることができるとともに、双方の規制突部が作用したときには差し込み片の厚み方向でも左右方向でも積極的にガタつきを阻止できる。
【００１８】
この発明の態様として、前記弾性係止片の係止爪における前記差し込み片の差し込み方向の前方と後方に、前記係止部の縁に斜めに当接する傾斜面を備えることができる。
【００１９】
この発明の弾性係止片の係止爪は、傾斜面が係止部の縁に当接するうえに、差し込み片は規制突部で押圧されるので、特に差し込み片の差し込み方向でのガタつきを良好に阻止できる。
【００２０】
この発明の態様として、前記ステーにおける前記差し込み片よりも差し込み方向後方の両側縁に形成されて前記弾性係止片による押しつけ方向と同じ方向に起立する姿勢の補強片と、前記差し込み受け部に形成されて前記補強片を有する部分が嵌合する嵌合部を備え、前記規制突部を前記嵌合部に達する長さに形成することができる。
【００２１】
この発明の補強片はステーの剛性を高めるとともに、差し込み受け部の嵌合部との嵌合によって、ステーと差し込み受け部との間における差し込み片の幅方向及び厚み方向での傾き・回転を規制する。そして特に厚み方向での回転力に対しては、ステーにおける、差し込み受け部の嵌合部にまで形成された規制突部の端部に対応する部位が回転の支点となるが、この部分は補強片を有しており剛性が高いので、ステーの厚み方向にかかる回転力に対しても高い規制力を得られる。この結果、差し込み片部分に過負荷がかかるのを回避できる。
【００２２】
課題を解決するための別の手段は、車両に設けられたステーの差し込み片が差し込まれる差し込み受け部を備え、該差し込み受け部には、前記差し込み片の係止部に対して押しつけて係止する弾性係止片を備えた電気接続箱であって、前記差し込み受け部の内面における前記弾性係止片による押しつけ方向と反対側の部位に、差し込まれる前記差し込み片に接して、又は前記差し込み片によって変形されて差し込みを許容する規制突部を備えた電気接続箱である。
【００２３】
この発明では、差し込まれる差し込み片に対して、規制突部が差し込み片を弾性係止片による押しつけ方向と同じ方向に押しつけて位置規制を行う。押しつけに際して、規制突部は差し込み片に対して接し、又は差し込み片によって変形させられる。規制突部の変形により寸法公差を吸収する。このような位置規制によって差し込み受け部と差し込み片との間の相対移動を阻止して、ガタつきの発生をなくす。
【００２４】
この発明の態様として次のようにすることができる。すなわち、前記規制突部として前記差し込み受け部における前記押しつけ方向と反対側の面に形成された突条を備える。
【００２５】
この発明の突条は、差し込み片を対向側、つまり差し込み受け部における弾性係止片による押しつけ方向の面に押しつけて、弾性係止片と係止部の係合との協働で差し込み受け部と差し込み片との間の相対移動を阻止する。突条は特に差し込み片の厚み方向でのガタつきを積極的に阻止する。
【００２６】
この発明の態様として次のようにすることができる。すなわち、前記規制突部として前記差し込み受け部における前記押しつけ方向と反対側の隅部に形成された隅突部を備える。
【００２７】
この発明の隅突部は、差し込み片の左右両側の角部に接触し、又はその角部によって変形させられて差し込み片を差し込み受け部における弾性係止片による押しつけ方向の面に押しつけて、弾性係止片と係止部の係合との協働で差し込み受け部と差し込み片との間の相対移動を阻止する。隅突部は特に差し込み片の左右方向でのガタつきを積極的に阻止する。
【００２８】
前記規制突部としては、前記突条と前記隅突部を兼ね備えるのが好ましい。寸法公差との関係で少なくともいずれか一方の規制突部が作用を果たすように設定することによって、対応可能な寸法公差の幅を広くすることができるとともに、双方の規制突部が作用したときには差し込み片の厚み方向でも左右方向でも積極的にガタつきを阻止できる。
【００２９】
この発明の態様として、前記弾性係止片の係止爪における前記差し込み片の差し込み方向の前方と後方に、前記係止部の縁に斜めに当接する傾斜面を備えることができる。
【００３０】
この発明の弾性係止片の係止爪は、傾斜面が係止部の縁に当接するうえに、差し込み片は規制突部で押圧されるので、特に差し込み片の差し込み方向でのガタつきを良好に阻止できる。
【発明の効果】
【００３１】
この発明によれば、弾性係止片の係止爪部分でのガタつき防止はもちろんのこと、寸法公差に基づくガタつきもなくせて、良好な取り付け状態が得られる。この結果、ガタつきに基づく異音の発生も防止できる。
【図面の簡単な説明】
【００３２】
【図１】電気接続箱とステーの斜視図。
【図２】電気接続箱の斜視図。
【図３】ステーとの結合状態を示す電気接続箱の要部の斜視図
【図４】要部を示す断面図。
【図５】電気接続箱の要部を示す正面図。
【図６】電気接続箱の要部を示す平面図。
【図７】図６のＢ−Ｂ断面図。
【図８】ステーの結合状態における図６のＢ−Ｂ切断位置の断面図。
【図９】図６のＣ−Ｃ断面図。
【図１０】ステーの結合状態における図６のＣ−Ｃ切断位置の断面図。
【図１１】図６のＤ−Ｄ断面図。
【図１２】ステーの結合状態における図６のＤ−Ｄ切断位置の断面図。
【図１３】差し込み片受け部の寸法を説明する断面図。
【図１４】差し込み片受け部の寸法を説明する断面図。
【図１５】差し込み片受け部の寸法を説明する断面図。
【発明を実施するための形態】
【００３３】
この発明を実施するための一形態を、以下図面を用いて説明する。  
図面において、図１、図２は電気接続箱とその要部の斜視図、図３は電気接続箱とステーの取り付け状態の斜視図で、図４は要部を説明する断面図である。また図５、図６で要部の外観を示し、図７〜図１２で電気接続箱の要部の断面図とステーを結合した要部の断面図を示している。図１３〜図１５は差し込み受け部の寸法を説明する断面図である。
【００３４】
図１は、リレーやヒューズ等の電気部品（図示せず）が搭載される電気接続箱１１と電気接続箱１１を取り付けるために車両（図示せず）に設けられるステー２１の斜視図であり、図２は電気接続箱１１におけるステー２１を取り付ける側の面をあらわす斜視図である。電気接続箱１１はロアケース１２とアッパケース１３で構成され、略直方体形状である。ステー２１は、図３に示したように、電気接続箱１１のロアケース１２に形成されたブラケット１４との間で相対的な差し込みが行われて、ステー２１の先端側部分に電気接続箱１１を取り付ける。
【００３５】
この電気接続箱１１の取り付け構造は、ブラケットを横断する方向の縦断面図（図６のＡ−Ａ断面図）である図４に示したように、車両に設けられたステー２１とブラケット１４に形成された差し込み受け部３１との間で差し込みを行い、ステー２１の差し込み片２２の係止部２３に差し込み受け部３１の弾性係止片３２を押し付けて係止するものである。
【００３６】
図示例の電気接続箱１１はステー２１による取り付けに加えてボルトナット（図示せず）による取り付けで車両に搭載されるものであるが、電気接続箱１１はステー２１を用いた取り付け構造のみで取り付けるものであってもよい。
【００３７】
参考までに付言すると、図示例の電気接続箱１１は、先端側部分が車両の後方に向くステー２１に対して縦長に取り付けられるものであり、ステー２１によって上端部が固定される（図１参照）。これは一例であり、ステー２１の向きや電気接続箱１１の形態、構造などは、電気接続箱１１の取り付け部位などに応じて適宜設計される。
【００３８】
まず、ステー２１について簡単に説明し、続いて電気接続箱１１のロアケース１２のブラケット１４について説明する。
【００３９】
ステー２１は金属製で、図１に示したように、板材をプレスして形成されている。ステー２１は先端部に略方形状の差し込み片２２を有し、この差し込み片２２の中央に貫通穴からなる方形状の係止部２３を有している。ステー２１の差し込み片２２よりも差し込み方向後方側の部分は、差し込み片２２の幅よりも幅広で長方形板状の本体板部２４である。この本体板部２４の両側縁には剛性を高める補強片２５が折り曲げにより形成されている。２本の補強片２５は同一方向、具体的には弾性係止片３２による押しつけ方向と同じ方向に向けて形成されており、本体板部２４から起立する姿勢である。本体板部２４と補強片２５との間には、角アール部２６が形成されている。
【００４０】
ブラケット１４は、図１、図２、図３に示したように合成樹脂製のロアケース１２の一側面に形成されている。図５はブラケット１４をステー２１に対する差し込み方向側から見た正面図で、図６はブラケット１４の平面図である。これらの図に示すようにブラケット１４は正面視等脚台形状で、ステー２１を差し込む差し込み受け部３１が内部に形成されている。
【００４１】
差し込み受け部３１は、ステー２１の先端側部分を保持する部分で、ステー２１の対応部分の形状に嵌合対応する形状である。差し込み受け部３１の左右方向の両側部にはステー２１の左右両側部を保持する保持溝３３を有し、左右方向の中間部には差し込み方向に貫通する貫通穴３４を有している。この貫通穴３４の天井面に、貫通穴３４の幅方向の中間位置を切断部分とする断面図である図７に示したように弾性係止片３２が形成されている。弾性係止片３２は貫通穴３４の天井面から離れる方向に材料弾性による付勢力を発揮し、図８に示したようにステー２１の差し込み片２２の係止部２３に下面の係止爪３５を押しつける。
【００４２】
左右両側の保持溝３３は、図４に示したように縦断面コ字状で、先端には差し込まれたステー２１の差し込み片２２の先端面が当接する当接面３６を有している（図４、図５、図６参照）。この保持溝３３の内面における弾性係止片３２による押しつけ方向と反対側の部位に、差し込まれる差し込み片２２に接して、又は差し込み片２２によって変形されて差し込みを許容する規制突部３７を備えている。
【００４３】
規制突部３７は二種類備えている。一つは、保持溝３３における弾性係止片３２による押しつけ方向と反対側面、つまり保持溝３３の天井面に形成された突条３８である。他のひとつは、保持溝３３における弾性係止片３２による押しつけ方向と反対側の両側の隅部、つまり保持溝３３の天井面側のコーナに形成された隅突部３９である。
【００４４】
突条３８は、保持溝３３の天井面のうち差し込み受け部３１の左右方向中間の貫通穴３４に近い位置に形成され（図４参照）、差し込み方向にのびている。図示例では突条３８の先端の断面形状を半円弧状としたが、例えば三角形状など、その他の形状であってもよい。
【００４５】
隅突部３９は縦断面三角形状で、差し込み受け部３１の左右方向中間下方に向く平らな傾斜面３９ａを有している（図４参照）。傾斜面３９ａの傾斜角は、適宜設定されるが、天井面に対して例えば６０度程度の傾斜であるとよい。隅突部３９は、図示例のような平らな傾斜面３９ａを有する形状のほか、たとえば湾曲面を有るものであってもよい。
【００４６】
このような隅突部３９は、隅突部３９部分を切断部分とする断面図である図９に示したように、保持溝３３のうち差し込み方向前方の差し込み片受け部３３ａに形成されている。差し込み片受け部３３ａは、図６、図１０に示したように、ステー２１の差し込み片２２が差し込まれる部分である。つまり、差し込み片２２が差し込み受け部３３ａに対して差し込まれることによって、差し込み片２２は隅突部３９と接し、又は隅突部３９を変形し得る。
【００４７】
差し込み片受け部３３ａより後方は、ステー２１の差し込み片２２よりも後方の補強片２５を有する部分が嵌合する嵌合部３３ｂである。この嵌合部３３ｂと差し込み片受け部３３ａとの間には、差し込みしやすくするテーパ面３１ｃが形成されている（図５参照）。
【００４８】
隅突部３９が保持溝３３の先端側の差し込み片受け部３３ａに形成されているのに対して、突条３８は、嵌合部３３ｂに達する長さ、つまり突条３８部分を切断部分とする断面図である図１１に示したように差し込み受け部３１全体にわたって形成されている。具体的には、差し込み受け部３１の入口のテーパ面３１ａを除いた全体に形成されている。これによって、図１２に示したように、ステー２１における差し込み受け部３１のテーパ面３１ａより先に対応する部分全体が、突条３８と接し、又は突条３８によって変形され得る。
【００４９】
弾性係止片３２は、図６に示したように平面視長方形状であり、弾性係止片３２の幅方向の中間位置を切断部分とする断面図である図７、図８に示したように一端部が差し込み受け部３１の天井面に接続された片持ち状である。差し込み受け部３１の前方にのびた自由端である先端部は、差し込み受け部３１の貫通穴３４から突出している。係止爪３５は先端側部分における下面中央に、平面視方形状に形成されている。係止爪３５は、図８に示したように差し込み方向の前方と後方に、ステー２１の差し込み片２２の係止部２３の縁に斜めに当接する傾斜面３５ａ，３５ｂを備えている。前方の傾斜面３５ａと後方の傾斜面３５ｂはそれぞれ、前方斜め下方、後方斜め下方に向いており、係止部２３に内側斜め上方から外側斜め下方に向けて接する。
【００５０】
このような構成の差し込み受け部３１の寸法について、次に説明する。
【００５１】
差し込み受け部３１は前述のようにステー２１の先端側部分が差し込まれる部分であるので、差し込み受け部３１がステー２１を差し込み可能となる寸法であることはもちろんであるが、寸法公差に基づくガタつきをなくすため、差し込み受け部３１とステー２１との間で寸法公差による違いが最も小さい場合に規制突部３７とステー２１が接し、それよりも大きい場合にステー２１の差し込みにより規制突起３７が変形するように規制突起３７の大きさが設定される。寸法公差による違いが最も小さい場合でもステー２１の差し込みにより規制突起３７が変形するように規制突起３７の大きさを設定してもよい。
【００５２】
好ましい一例を示すと、つぎのようになる。
【００５３】
ステー２１の厚さと突条３８の先端高さとの関係に関して、図１３に示したように、突条３８の先端と突条３８の対向面、つまり保持部３３における弾性係止片３２による押しつけ方向側の面（保持溝３３の下面）との間の距離ｈは、ステー２１の差し込み片２２の厚さｔの寸法公差の最小値以下である。
【００５４】
このように設定すると、差し込み片２２の差し込みによって突条３８は、差し込み片２２と接するか、押し潰されて変形することになり、ステー２１の差し込み片２２を確実に保持溝３３の下面に対して押しつけることができる。この結果、ステー２１の厚さ方向でのガタつきを阻止できる。
【００５５】
ステー２１の幅と隅突部３９の大きさとの関係に関して、図１４に示したように、左右両側の隅突部３９の傾斜面３９ａ同士の間のステー２１の差し込み片２２の上面位置における距離ｗ１は、ステー２１の差し込み片２２の幅ｗ２との寸法公差の違いが大きい場合にｗ１＞ｗ２となって、差し込み片２２の上面側の両角と傾斜面３９ａとの間に適宜の隙間ができ、違いが小さい場合にｗ１＜Ｗ２となって、図１５に示したように差し込み片２２の上面の両角が隅突部３９に干渉する大きさである。
【００５６】
このように設定すると、差し込み片２２の差し込みによって隅突部３９は、差し込み片２２と接しないか、接するか、押し潰されて変形することになり、接するか、変形したときにはステー２１の差し込み片２２を確実に挟み込んで保持溝３３の下面に対して押しつけることができる。突条３８との関係でいえば、寸法公差による寸法の違いが小さい場合で突条３８の潰れ度合いが大きくなるときに、隅突部３９が差し込み片２２に接して、又は差し込み片２２によって変形されて、突条３８による押圧力の低下を補う。この結果、ステー２１のガタつき、特に左右方向でのガタつきを阻止できる。
【００５７】
以上のように構成された電気接続箱１１の取り付け構造では、次のような作用効果を有する。
【００５８】
電気接続箱１１の取り付けは、車両から突出しているステー２１に対して電気接続箱１１のブラケット１４の差し込み受け部３１を差し込む。差し込み受け部３１はステー２１の相対的な差し込みを受け、ステー２１の両側縁部を保持溝３３で保持するとともに、弾性係止片３２の係止爪３５でステー２１の差し込み片２２の係止部２３を係止する。係止爪３５は、前後両側の傾斜面３５ａ，３５ｂを係止部２３の縁に内側斜め上方から外側斜め下方に向けて斜めに当てるので、係止爪３５が係止部２３を押さえつけている限りにおいて前後方向での相対移動をガタつきなく阻止できる。
【００５９】
そして係止爪３５を有する弾性係止片３２は、差し込み受け部３１に差し込み片２２を差し込んだときに、規制突部３７のうちの少なくとも突条３８が差し込み片２２の対向面に接し、又は差し込まれる差し込み片２２によって潰されて変形し、差し込み片２２を係止爪３５による押しつけ方向に押さえつける。突条３８の先端は曲面で差し込み方向に延びる線状であるので、また隅突部３９は平らな傾斜面３９ａが差し込み片２２の角に当たるので、ステー２１と規制突部３７が干渉する関係にある場合でも差し込みは良好に行える。
【００６０】
前述のように規制突部３７が差し込み片２２を係止爪３５による押しつけ方向に押さえつけるので、係止爪３５と係止部２３による係止状態を強固に維持できる。そのうえ、突条３８が差し込み片２２を必ず押しつけることになるため、弾性係止片３２が係止解除方向に動くことはなく、突条３８による押圧力によって、ステー２１の厚み方向と左右方向でのガタつき、特にステー２１の厚み方向でのガタつきをなくすことができる。
【００６１】
規制突部３７として隅突部３９も突条３８と同時に差し込み片２２に接し、又は変形させられた場合には、ステー２１の左右方向でのガタつきも積極的になくすことができる。
【００６２】
しかも、突条３８と隅突部３９は必要に応じて変形することによって、寸法公差を吸収する。このため、寸法公差に基づくガタつきの発生をなくすことができる。
【００６３】
突条３８と隅突部３９は共に、差し込み片２２を保持溝３３の下面に対して押しつけるが、特に隅突部３９は傾斜面３９ａを有するので、接触又は干渉する差し込み片２２を保持溝３３同士の間の中間位置に寄せる作用も果たす。この作用によって、差し込み片２２を正しい位置に差し込むことができ、係止爪３５と係止部２３との適切な係止を確実にできる効果も有する。
【００６４】
そのうえ規制突部３７として、必ず差し込み片２２に接する突条３８を備えるとともに、これに加えて隅突部３９を備えたので、対応可能な寸法公差の幅を広くすることができる。
【００６５】
前述のように寸法公差も吸収してガタつきを皆無にすることができるので、ガタつきに基づく異音の発生もなくすことができる。
【００６６】
また、差し込み受け部３１にはステー２１の補強片２５を有する部分が嵌合する嵌合部３３ｂを備え、嵌合部３３ｂにまで突条３８を形成したので、ステー２１と差し込み受け部３１との間における差し込み片２２の幅方向及び厚み方向での傾き・回転を積極的に規制することができる。つまり、ステー２１の特に厚み方向にかかる回転力に対しては、ステー２１における嵌合部３３ｂの突条３８の端部に対応する部位が回転の支点となるが、この部分は補強片２５を有しており剛性が高いので、ステー２１の厚み方向にかかる回転力に対しても高い規制力を得られる。これによって、ステー２１の差し込み片２２部分に過負荷がかかるのを回避でき、ステー２１の強度を確保し、ひいては電気接続箱１１の取り付け強度を高めることができる。
【００６７】
以上はこの発明を実施するための一形態の構成であり、この発明は前述の構成のみに限定されるものではなく、その他の構成を採用することができる。
【００６８】
たとえば、規制突部としては突条または隅突部の一方のみを備えるものであっても、その他の形状の規制突部を備えてもよい。
【符号の説明】
【００６９】
１１…電気接続箱
２１…ステー
２２…差し込み片
２３…係止部
２５…補強片
３１…差し込み受け部
３２…弾性係止片
３３…保持溝
３３ａ…差し込み片受け部
３３ｂ…嵌合部
３３ｃ…テーパ面
３５…係止爪
３５ａ，３５ｂ…傾斜面
３７…規制突部
３８…突条
３９…隅突部
【図１】
0006391445.tif 000002
【図２】
0006391445.tif 000003
【図３】
0006391445.tif 000004
【図４】
0006391445.tif 000005
【図５】
0006391445.tif 000006
【図６】
0006391445.tif 000007
【図７】
0006391445.tif 000008
【図８】
0006391445.tif 000009
【図９】
0006391445.tif 000010
【図１０】
0006391445.tif 000011
【図１１】
0006391445.tif 000012
【図１２】
0006391445.tif 000013
【図１３】
0006391445.tif 000014
【図１４】
0006391445.tif 000015
【図１５】
0006391445.tif 000016